(57)【要約】  【課題】  ＲＦＩＤタグ（ＩＣタグ）を用いた代金精算システムにおいて、ＲＦＩＤタグからの商品情報の読み取りを短時間で効率よく行うことができる代金精算システム及び代金精算方法を提供する。  【解決手段】  購入商品と、それと対応するＲＦＩＤをトレイに載置し、前記ＲＦＩＤが記憶する前記商品の商品情報を会計処理装置の読取部で読み取り、会計精算する代金精算システムにおいて、前記ＲＦＩＤを、電磁波を透過し得るスティック２１に、アンテナを内蔵するＲＦＩＤタグ本体２２を設けたＩＣスティック２０とし、その複数のＩＣスティックを同じ向きに整列保持する収納部３０と、その収納部に保持されたＩＣスティックが記憶する商品情報を読み取る読取部１１と、を備え、該読取部１１は内蔵するアンテナ１５が前記ＩＣスティックのＲＦＩＤタグ本体のアンテナと略平行に配置する。  【選択図】  図７
2010108045.tif 000002
【特許請求の範囲】
【請求項１】
購入商品と、それと対応するＲＦＩＤをトレイに載置し、前記ＲＦＩＤが記憶する前記商品の商品情報を会計処理装置の読取部で読み取り、会計精算する代金精算システムにおいて、
前記ＲＦＩＤを、アンテナを内蔵するＲＦＩＤタグ本体を設けたＩＣスティックとし、その複数のＩＣスティックを同じ向きに整列保持する収納部と、その収納部に保持されたＩＣスティックが記憶する商品情報を読み取る読取部と、を備え、該読取部は内蔵するアンテナが前記ＩＣスティックのＲＦＩＤタグ本体のアンテナと略平行に配置されていることを特徴とする代金精算システム。
【請求項２】
前記ＩＣスティックに設けるＲＦＩＤタグ本体は内蔵するアンテナの面が該スティックの軸芯と直交するようにし、そのＩＣスティックの情報を読み取る読取部が前記会計処理装置のトレイ載置部に設けられ、更に前記収納部は前記ＩＣスティックを略鉛直状に保持することを特徴とする請求項１記載の代金精算システム。
【請求項３】
前記収納部は、前記会計処理装置の読取部を配置したトレイ載置部に設けられていることを特徴とする請求項２記載の代金精算システム。
【請求項４】
前記収納部は、購入商品を載置するトレイに設けられていることを特徴とする請求項２記載の代金精算システム。
【請求項５】
前記収納部は、購入商品を載置するトレイ上に着脱可能に配置され、且つトレイから外した収納部を会計処理装置の読取部上の所定位置に保持する保持手段が前記読取部に設けられていることを特徴とする請求項２記載の代金精算システム。
【請求項６】
前記収納部は、前記ＩＣスティックを略鉛直状に起立保持する有底筒状の箱体である請求項１乃至５の何れか１項記載の代金精算システム。
【請求項７】
トレイ上に載置した調理食品に付与されたＲＦＩＤタグから商品情報を読取ることで代金の精算を行う調理食品の代金精算方法であって、
トレイ上に載置する調理食品毎に付与された、ＲＦＩＤタグ本体を設けたＩＣスティックを、会計処理装置の読取部上に同じ向きに整列保持するステップと、
前記ＩＣスティックのＲＦＩＤタグ本体から商品情報を読取るステップと、
前記商品情報に基づいて前記会計処理装置で精算金額を算出するステップと、
を実行することを特徴とする代金精算方法。
【発明の詳細な説明】
【技術分野】
【０００１】
本発明は、ＲＦＩＤタグを使用した代金精算システム及び代金精算方法に関し、更に詳しくはＲＦＩＤタグに記憶された商品情報の読み取りを確実に行うことができる代金精算システム及び代金精算方法に関する。
【背景技術】
【０００２】
調理食品を陳列して販売を行うベーカリー店や菓子店或いは惣菜店等の代金精算は、例えば、ベーカリー店を例に説明すると、焼き上がったパンや菓子等の調理食品を棚に陳列し、その陳列された調理食品をお客がセルフサービスで掴み取ってトレイに載せ、代金精算場所へ持って行き、トレイを店員に手渡し、店員がトレイに載せられた調理食品の代金をＰＯＳレジスタで会計精算を行う、所謂カフェテリア方式が普及している。
そして、前記会計精算を迅速に行うために、前記調理食品毎に非接触ＩＣタグ（ＲＦＩＤ／Radio  Frequency  Identification）を取り付け、トレイに載置された調理食品に付された非接触ＩＣタグから商品情報を一括で読み出して会計精算を行う代金精算システム（代金精算方法）が存在する（例えば、特許文献１参照）。
【０００３】
しかしながら、トレイ上に載置された調理食品に取り付けられた非接触ＩＣタグが、電池を持たないパッシブタイプの非接触ＩＣタグである場合、前記非接触ＩＣタグに内蔵されているアンテナが、読取部（リーダ）からの電波を受け取れない方向に向いていた場合、該非接触ＩＣタグに電波が正しく伝わらないために、非接触ＩＣタグに電力が供給されず、前記非接触ＩＣタグが応答しない現象が発生する。その結果、応答しない非接触ＩＣタグが記憶する商品情報を読み出すことができないという問題が発生する。
【０００４】
このように、非接触ＩＣタグから商品情報が読み取れないという事態が生じた場合、実際にトレイ上に載置されている調理食品数分の金額より少ない請求金額で会計処理されてしまうため、顧客から受け取るお金が不足してしまう為、お店が損をするという問題が生じる。
【０００５】
又、前記読み取りできない向きの非接触ＩＣタグを認識することができない為、読取りエラーを報知させることができず、店員は読取りエラーが発生したことを認識することができないという問題も生じる。
【０００６】
その為、調理食品に取り付けられた非接触ＩＣタグの向きのチェックと、調理食品の数分の精算金額であるかの確認を、会計時に店員が一つ一つ目視確認しなければならず、会計精算を迅速に行うためのシステムが、かえって余計な手間と時間を要するシステムになってしまうばかりではなく、店員に余計な負担を強いることになってしまう。
【０００７】
【特許文献１】特開２００７−２７２６８４号公報
【発明の開示】
【発明が解決しようとする課題】
【０００８】
本発明は上記した従来の技術が有する問題点に鑑みてなされたもので、その目的とするところは、ＲＦＩＤタグを用いた代金精算システムにおいて、ＲＦＩＤタグからの商品情報の読み取りを短時間で効率よく行うことができる代金精算システム及び代金精算方法を提供する。
【課題を解決するための手段】
【０００９】
上記目的を達成する為に本発明の代金精算システムは、購入商品と、それと対応するＲＦＩＤをトレイに載置し、前記ＲＦＩＤが記憶する前記商品の商品情報を会計処理装置の読取部で読み取り、会計精算する代金精算システムにおいて、前記ＲＦＩＤを、アンテナを内蔵するＲＦＩＤタグ本体を設けたＩＣスティックとし、その複数のＩＣスティックを同じ向きに整列保持する収納部と、その収納部に保持されたＩＣスティックが記憶する商品情報を読み取る読取部と、を備え、該読取部は内蔵するアンテナが前記ＩＣスティックのＲＦＩＤタグ本体のアンテナと略平行に配置されていることを特徴とする（請求項１）。
前記ＩＣスティックは、電池を内蔵しないパッシブタイプのＲＦＩＤタグである。又、ＩＣスティックに設けられるＲＦＩＤタグ本体の位置は、該スティックの軸芯に沿った長さ方向の中間位置、或いは軸端寄り又は端部など何れでもよい。
前記スティックに設けられるＲＦＩＤタグ本体（ＩＣタグ）の形態は、ディスク状、棒状等何れでもよい。又、ＩＣスティックにＲＦＩＤタグ本体を設ける形態としては、スティックにＲＦＩＤタグ本体を埋設する形態、スティックに凹部を設けてＲＦＩＤタグ本体を嵌め込み固定する形態、スティックの端部に接着剤等で接着固定する形態等、何れでもよい。
前記ＩＣスティックを同じ向きに整列保持とは、ＲＦＩＤタグ本体が内蔵するアンテナが読取部のアンテナに対しできるだけ平行の状態を保持することを意味し、例えば、ＩＣスティックを略鉛直状に起立保持する形態が挙げられる。
【００１０】
上記手段によれば、ＩＣスティックに設けられたＲＦＩＤタグ本体が内蔵するアンテナと、会計処理装置の読取部のアンテナとを略平行に保持できるため、応答しないＲＦＩＤを無くすことができ、それにより顧客が購入する商品の商品情報を全てのＲＦＩＤより漏れなく読み取ることができる。よって、顧客が購入する商品数と対応する精算金額を素早く、且つ正しく会計処理することができる。
【００１１】
前記会計処理装置の読取部が内蔵するアンテナを、前記ＩＣスティックに設けられたＲＦＩＤタグ本体のアンテナと略平行に保持する具体例としては、例えば、前記ＩＣスティックに設けられるＲＦＩＤタグ本体が内蔵するアンテナの面を該スティックの軸芯と直交するように埋設し、そのＩＣスティックの情報を読み取る読取部を、前記会計処理装置のトレイ載置部に設け、更に前記収納部は前記ＩＣスティックを略鉛直状に保持する容器とする（請求項２）。
【００１２】
上記手段によれば、ＩＣスティックを収納部に入れることで、各ＩＣスティックは略鉛直状の同じ向きに整列保持でき、その収納部を読取部に載置することで、ＩＣスティックに設けられたＲＦＩＤタグ本体が内蔵するアンテナと、読取部のアンテナとは略平行状態となる。それにより、各ＩＣスティックが記憶する商品情報を確実に読み取ることができる。
【００１３】
前記収納部は、例えば、前記会計処理装置の読取部を配置したトレイ載置部に設ける（請求項３）、購入商品を載置するトレイ上に一体的に設ける（請求項４）、或いは購入商品を載置するトレイ上に着脱可能に配置され、且つトレイから外した収納部を会計処理装置の読取部上の所定位置に保持する保持手段を前記読取部が配置されるトレイ載置部に設ける（請求項５）等が挙げられる。
収納部をトレイ載置部の読取部上の所定位置に保持する保持手段としては、該トレイ載置部の表面に収納部を載置する場所を土手で区画形成する、或いは載置する場所を線描きや色分けで区画表示する、又は収納部を嵌合し得る凹部をトレイ載置部に形成する等が挙げられる。
又、前記読取部（アンテナ）はトレイ載置部に埋設する形態、或いは収納部がトレイ載置部に配置固定される形態においては前記収納部自体に装着（外側又は内部に埋設するなど何れでもよい。
尚、収納部をトレイ上に一体的に設ける場合、該トレイはトレイ載置部の読取部（アンテナ）から出力された電磁波を通すことができる合成樹脂材料等の誘電体材料で形成する。勿論、前記収納部も電磁波を通すことができる合成樹脂材料等の誘電体材料で形成する。
【００１４】
上記手段によれば、ＩＣスティックを同じ向きに保持する収納部が読取部を配置したトレイ載置部に設けられていることで、読取部とＩＣスティックとの位置関係を一定に保持でき、読取部と収納部とを一体化することができる。それにより、トレイに購入商品と一緒に載せて運んできたＩＣスティックをトレイ載置部の収納部に入れることで、該ＩＣスティックを全て同じ向きに整列でき、読取部による商品情報の読み取りは確実に行われる。
又、収納部が購入商品を載せるトレイに一体的に設けられている場合は、購入商品をトレイに載せる時に該商品と対応するＩＣスティックも取って収納部に入れ、会計時に収納部が一体的に設けられたトレイをトレイ載置部（読取部）へ置くことで、全てのＩＣスティックの商品情報は確実に読取られる。
更に、トレイ上に収納部が分離可能に配置され、その分離した収納部を読取部上の所定位置に配置する保持手段がトレイ載置部に設けられていた場合、購入商品と一緒に取ったＩＣスティックをトレイ上の収納部に入れ、会計時に前記収納部をトレイからトレイ載置部に設けられた保持手段に嵌合載置することで、全てのＩＣスティックを読取部に対して同じ向きに保持することができる。
【００１５】
そして、前記収納部は、具体的には前記ＩＣスティックを略鉛直状に起立保持する有底筒状の箱体が好適である（請求項６）。尚、箱体（有底筒）の形状は、角形筒、円形筒等、何れでもよい。又、前記箱体（有底筒）にはＩＣスティックを１本宛隔離保持する仕切りを設けてもよい。
【００１６】
また、その代金精算方法は、トレイ上に載置した調理食品に付与されたＲＦＩＤタグから商品情報を読取ることで代金の精算を行う調理食品の代金精算方法であって、トレイ上に載置する調理食品毎に付与された内部にＲＦＩＤタグ本体を設けたＩＣスティックを、会計処理装置の読取部上に同じ向きに整列保持するステップと、前記ＩＣスティックのＲＦＩＤタグ本体から商品情報を読取るステップと、前記商品情報に基づいて前記会計処理装置で精算金額を算出するステップと、からなることを特徴とする。
【発明の効果】
【００１７】
本発明の代金精算システムは、請求項１、２記載の構成により、購入する商品と対応する複数のＩＣスティックを、同じ向きに整列して読取部上に保持できるため、応答しないＲＦＩＤを無くすことができ、それにより顧客が購入する商品の商品情報を全てのＲＦＩＤより漏れなく読み取ることができる。よって、顧客が購入する商品数と対応する精算金額を素早く、且つ正しく会計処理することができると共に、会計処理装置を操作する店員にチェック作業等、余計な負担を強いることがなくなる。
又、請求項３〜５記載の構成により、ＩＣスティックを読取部に対して同じ向きに保持することができ、読取部による商品情報の読み取りを確実に行うことができる。そして、請求項３記載の構成においては、ＩＣスティックを移し替える（移動させる）ことが無いため、ＩＣスティックを紛失する、或いは損傷させることがなく、会計処理を早く済ませることができる。また、会計と商品の袋詰作業とを分担し同時に作業することができる。
【００１８】
更に、請求項６記載の構成により、ＩＣスティックを収納部に対して簡単に出し入れできる。
また、請求項７記載の構成により、調理食品の代金精算を短時間で効率よく正確に行うことができる。
【発明を実施するための最良の形態】
【００１９】
以下、本発明の実施の形態を図面に基づいて説明する。
図１（ａ）は、本発明に係る調理食品の代金精算システムを導入する調理食品販売店の一例であるパン等を販売するベーカリー店の店舗内の配置構成を示す概略平面図である。
同図に示す店舗は、お客がセルフサービスで陳列棚に陳列されているパン等の調理食品の中から好みの商品を選択してトレイに載せ、このトレイを代金精算場所まで運ぶ所謂カフェテリア方式の店舗である。この店舗１００は、売場スペース１０１とバックルーム１０２とを有し、売場スペース１０１には、調理食品であるパン４０を陳列する陳列棚１０３と、ＩＣタグリーダ（読取部）１１及びレジスタ１２とからなる会計処理装置１０を設置する代金精算場所１０４と、来店したお客がパンを選ぶ際に使用するトレイ１４が置かれているトレイ置場１０５とを備えている。１０６は店舗１００への出入口である。
又、この店舗１００のバックルーム１０２には、調理食品に関する識別情報及び価格情報を含む情報であるＰＬＵ（プライスルックアップ）コードを下記するＩＣスティック２０に書き込むリーダライタ装置１０７と、焼き上がったパンをパン収納袋に入れたりする作業を行う作業台（作業場所）１０８とが設置されている。尚、リーダライタ装置１０７は図示しないホストコンピュータに繋がっていてもよいし、或いは前記会計処理装置１０に組み込んでおいてもよい。
【００２０】
図１（ｂ）は、陳列棚１０３に陳列されるパン（調理食品）４０及びそれらパン（調理食品）に対応するＩＣスティック２０の陳列状態を示す図である。同図に示すように、焼き上がったパン等４０はバスケット４１に入れて陳列され、そのバスケット４１の手前位置に商品を説明したカード（例えば、プライスカード）４２と一緒にＩＣスティック２０がバスケット内の商品の個数分だけＩＣスティック入れ４３に入れて置かれている。
従って、バスケット４１内のパン４０を購入する時、購入するパン４０の個数分だけそのパン４０に対応するＩＣスティック２０を取り、パン４０を載せたトレイ１４に載せて、或いはトレイ１４に載置された収納部３０に入れて、代金精算場所１０４に移動する。
【００２１】
図２は代金精算場所１０４に設置される会計処理装置１０の構成例を示す図である。同図に示す会計処理装置１０は、ＩＣスティック２０の情報を読み取るＩＣタグリーダ（読取部）１１と、該ＩＣタグリーダ１１が読み取った情報に基づいて代金を計算するレジスタ１２とを備えている。
【００２２】
ＩＣタグリーダ１１は、商品を載せたトレイ１４を載置する平坦面状に形成されたトレイ載置部１３を備え、そのトレイ載置部１３に載置されたＩＣスティック２０の情報を読み取るアンテナ１５とコントローラ部１６を備えている。このアンテナ１５は、トレイ載置部１３の内部に設置されており、トレイ載置部１３から鉛直上方に向かって電磁波を出力することで、前記トレイ載置部１３上に、収納部３０に入れて略鉛直状に起立保持されたＩＣスティック２０の情報を読み取ることができるように構成されている。尚、前記収納部３０は、後述するように、トレイ載置部上に直接載置する、或いはトレイ１４に載せて載置される。又、前記トレイ１４はアンテナ１５から出力された電磁波を通すことができる合成樹脂材料等の誘電体材料で形成されている。
更に、前記トレイ載置部１３のＩＣタグリーダ１１部分には、収納部３０を所定位置に保持する保持手段１８が設けられている（図５参照）。
【００２３】
前記保持手段１８は、図５に示すように、トレイ載置部１３のＩＣタグリーダ（読取部）１１の読み取りエリア内に、（ａ）土手１８ａで収納部３０を載置する場所を区画形成する、（ｂ）収納部３０を載置する場所を色分けや線描き１８ｂで区画表示する、（ｃ）収納部３０を嵌合する凹部１８ｃを形成する、等によって形成されている。
【００２４】
又、前記ＩＣタグリーダ１１は、トレイ載置部１３の面内に埋設する構成に限らず、トレイ載置部１３の面上に露出配置してもよい。例えば、図６に示すように、トレイ載置部１３上に収納部３０を配置固定する場合、その収納部３０自体にＩＣタグリーダ（読取部）１１のアンテナ１５を巻き付け固定してもよい。尚、前記アンテナ１５は収納部３０の周壁内に埋設固定してもよい。この場合、ＩＣスティック２０に埋設するＲＦＩＤタグ本体のアンテナ面は該ＩＣスティック２０の軸芯と略平行に配置し、ＩＣスティック２０に内蔵のアンテナ面がＩＣタグリーダ（読取部）１１のアンテナ１５と略平行になるようにする。
【００２５】
ＩＣスティック２０の情報を読み取るＩＣタグリーダ（読取部）１１のアンテナ１５は、コイル間の誘電起電力を用いて電流を発生させる。先ず、ＩＣタグリーダ１１のアンテナ（コイル）１５に電流が流れると、該アンテナ１５に対して鉛直方向に磁界が発生し、次にこの磁界をＩＣスティック２０に内蔵されたＲＦＩＤタグ本体２２が内蔵するアンテナ（コイル）が受けると、該アンテナに起電力が発生し、電流が流れ、更にＩＣタグリーダ１１から送られる電磁波には、特定のデータ（コマンド）が変調されて載せられており、ＩＣスティック２０はＲＦＩＤタグ本体２２のアンテナで発生した電流で半導体チップを駆動し、ＩＣタグリーダ１１でデータ成分を取り出す。
【００２６】
レジスタ１２は、前記ＩＣタグリーダ１１が読み取った情報を入力して登録し、該情報に基づいてトレイ１４上のパンの代金の合計金額を計算する装置で、操作内容を入力する入力部１２ａや、計算結果を表示する客側表示部（図示省略）等を備えて構成されている。
前記ＩＣタグリーダ１１で読み取ったＰＬＵコードは、レジスタ１２に送信される。レジスタ１２は、受信したＰＬＵコードと一致する商品情報（商品名と金額）を自身が記憶するＰＬＵファイルから読み出して、トレイ１４のパンの合計代金を算出して表示する。店員がお客から代金を受け取ってレジスタ１２で締め操作を行うと、レジスタ１２は図示しないレシート用紙に明細を印字して精算を終了する。この際に店員は、パンを持ち帰り用の袋に入れてお客に手渡す。以上により、代金の精算が終了する。
【００２７】
ＩＣスティック２０は、図３（ａ）、（ｂ）に示すように電磁波を通す合成樹脂材料、ガラス等の誘電体材料で所定長さの棒状に形成されたスティック本体２１と、該スティック本体２１に内蔵したＲＦＩＤタグ本体２２とで構成されている。そして、ＲＦＩＤタグ本体２２は該タグ本体２２が内蔵するアンテナの面が、スティック本体２１の軸芯と直交するように埋め込まれている。
前記ＲＦＩＤタグ本体２２は、ディスク形状のＩＣタグで、主に０．４〜１ｍｍ角程度の小さな半導体チップと、該半導体チップに接続したアンテナで構成されている。ＲＦＩＤタグ本体２２としては、例えば、13.56MHzＩＣタグを使用する。
又、ＲＦＩＤタグ本体２２がスティック本体２１に埋め込まれる位置は、長さ方向の略中央位置（図３（ａ）参照）、或いは長さ方向の一方端寄り（図３（ｂ）参照）の何れでもよい。尚、図３（ａ），（ｂ）で、ＲＦＩＤタグ本体２２をスティック本体２１に設ける形態とした該スティック本体へ埋め込んだ形態を図示しているがこれに限らず、例えば、スティック本体２１の端部を凹部形状にし、その凹部にＲＦＩＤタグ本体２２を嵌め込む形態や、スティック本体２１の端部に強力な接着剤で直接ＲＦＩＤタグ本体２２を接着する等が考えられるが、ＲＦＩＤタグ本体２２が内蔵するアンテナ面とＩＣタグリーダ（読取部）１１のアンテナ１５とが略平行になる形態であれば、何れの形態を用いてもよい。
【００２８】
また、前記ＩＣスティック２０のスティック本体２１の外表面には、商品名や金額等の商品情報がコード化されて表示されている。その表示の方法としては、バーコードが印字されたラベルを貼付する、或いはスティック本体２１の外表面にバーコードを直接印字する等、何れの方法でもよい。ＩＣスティック２０の外表面に商品情報がバーコードで表示されていた場合は、ＩＣタグリーダ１１が故障してＩＣスティック２０に内蔵されたＲＦＩＤタグ本体２２の情報を読み取ることができない場合でも、前記バーコード表示をハンディースキャナ１７で読み取ることで会計処理を実行することができる。
【００２９】
前記ＩＣスティック２０を、ＩＣタグリーダ（読取部）１１に対して読み取りが可能な同じ向き保持する収納部３０は、図４に示すように、電磁波を通す合成樹脂材料等の誘電体材料で有底筒状の箱体（角形筒体）３１に構成されている。そして、その箱体の内部にはＩＣスティック２０を個々に隔離して略鉛直状態に保持する仕切り３２が設けられている。
前記収納部３０は箱体（角形筒体）に限らず、円形筒体（カップ）でもよい（図６参照）。
前記仕切り３２は、図４（ａ）、（ｂ）に示すように箱体３１の高さ方向の上下部を除いた中間部に形成する、或いは図４（ｃ）、（ｄ）に示すように箱体３１の上側開口部近傍にのみ配置する等、その形状、形態は任意である。
尚、箱体３１内に仕切り３２を設けずに、起立状態に収納したＩＣスティック２０が該箱体の上端縁で支えられて傾いたとしても、ＩＣタグリーダ１１によるＩＣスティック２０に内蔵されたＲＦＩＤタグ本体２２の情報の読み取りが可能であれば、仕切り３２はなくてもよい。即ち、収納部３０を構成する箱体３１の高さ寸法と上方の開口部の口径（間口径）を、前記ＩＣスティック２０の長さ寸法より短くし、ＩＣスティック２０が傾いても該スティックに内蔵されたＲＦＩＤタグ本体２２の傾きの角度がＩＣタグリーダ１１による読み取り可能な角度内に保持されればよい。
【００３０】
前記収納部３０は、代金精算時、代金精算場所１０４の会計処理装置１０のＩＣタグリーダ（読取部）１１に置かれるが、収納部３０の箱体３１をＩＣタグリーダ（読取部）１１に置いて精算処理する［パターン１］、［パターン２］、［パターン３］を図７に基づいて説明する。
【００３１】
［パターン１］
図７（ａ）に示すように、収納部３０の箱体３１が、会計処理装置１０のＩＣタグリーダ（読取部）１１が配置されたトレイ載置部１３に設置されている。
この場合は、陳列棚１０３に陳列されたパン４０の中から好みのパン４０を選んで必要個数をトレイ１４に載せ、更にその選んだ各パンに対応するＩＣスティック２０を個数分取り、トレイ１４に載せて代金精算場所１０４に移動する。そして、パン４０が載ったトレイ１４をトレイ載置部１３に置き、トレイ１４に載せて運んだＩＣスティック２０はトレイ載置部１３のＩＣタグリーダ（読取部）１１上に設置された収納部３０の箱体３１に収納する。箱体３１に収納されたＩＣスティック２０は略鉛直状に起立されて同じ向きに保持され、各ＩＣスティック２０に内蔵されたＲＦＩＤタグ本体２２のアンテナは、ＩＣタグリーダ（読取部）１１のアンテナ１５と略平行に対向し、それぞれのＩＣスティック２０が記憶するＰＬＵコードはＩＣタグリーダ（読取部）１１で読み取られる。ＩＣタグリーダ１１が読み取ったＰＬＵコードはレジスタ１２に送信される。レジスタ１２は、受信したＰＬＵコードと一致する商品情報（商品名と金額）を自身が記憶するＰＬＵファイルから読み出して、トレイ１４上のパン４０の合計代金を算出して表示する。店員がお客から代金を受け取ってレジスタ１２で締め操作を行うと、レジスタ１２はレシート用紙に明細を印字して精算を終了する。
【００３２】
［パターン２］
図７（ｂ）に示すように、収納部３０の箱体３１が、パン４０を載せるトレイ１４に設けられている。
この場合は、陳列棚１０３に陳列されたパン４０の中から好みのパン４０を選んで必要個数をトレイ１４に載せ、更にその選んだ各パンに対応するＩＣスティック２０を個数分取り、トレイ１４上に設けられた収納部３０の箱体３１に収納して代金精算場所１０４に移動する。そして、パン４０とＩＣスティック２０を収納した収納部３０の箱体３１が載ったトレイ１４をトレイ載置部１３のＩＣタグリーダ（読取部）１１上に載置する。それにより、箱体３１に収納されたＩＣスティック２０は略鉛直状に起立されて同じ向きに保持され、各ＩＣスティック２０に内蔵されたＲＦＩＤタグ本体２２のアンテナは、ＩＣタグリーダ（読取部）１１のアンテナ１５と略平行に対向し、それぞれのＩＣスティック２０が記憶するＰＬＵコードはＩＣタグリーダ（読取部）１１で読み取られる。ＩＣタグリーダ１１が読み取ったＰＬＵコードはレジスタ１２に送信される。レジスタ１２は、受信したＰＬＵコードと一致する商品情報（商品名と金額）を自身が記憶するＰＬＵファイルから読み出して、トレイ１４上のパン４０の合計代金を算出して表示する。店員がお客から代金を受け取ってレジスタ１２で締め操作を行うと、レジスタ１２はレシート用紙に明細を印字して精算を終了する。
【００３３】
［パターン３］
図７（ｃ）に示すように、収納部３０の箱体３１が、パン４０を載せるトレイ１４に設けられており、且つ会計処理装置１０のＩＣタグリーダ（読取部）１１が配置されたトレイ載置部１３には前記箱体３１を所定位置に保持する保持手段１８が設けられている。
この場合は、陳列棚１０３に陳列されたパン４０の中から好みのパン４０を選んで必要個数をトレイ１４に載せ、更にその選んだ各パンに対応するＩＣスティック２０を個数分取り、トレイ１４上に載せて在る収納部３０の箱体３１に収納して代金精算場所１０４に移動する。そして、トレイ１４に載っているＩＣスティック２０を収納した収納部３０の箱体３１をトレイ１４から下ろしてトレイ載置部１３のＩＣタグリーダ（読取部）１１上に設けられた保持手段１８（図示の保持手段は土手タイプ１８ａを示す）に載置する。又、パン４０が載ったトレイ１４は保持手段周囲のトレイ載置部１３に載置する。それにより、箱体３１に収納されたＩＣスティック２０は略鉛直状に起立されて同じ向きに保持され、各ＩＣスティック２０に内蔵されたＲＦＩＤタグ本体２２のアンテナは、ＩＣタグリーダ（読取部）１１のアンテナ１５と略平行に対向し、それぞれのＩＣスティック２０が記憶するＰＬＵコードはＩＣタグリーダ（読取部）１１で読み取られる。ＩＣタグリーダ１１が読み取ったＰＬＵコードはレジスタ１２に送信される。レジスタ１２は、受信したＰＬＵコードと一致する商品情報（商品名と金額）を自身が記憶するＰＬＵファイルから読み出して、トレイ１４上のパン４０の合計代金を算出して表示する。店員がお客から代金を受け取ってレジスタ１２で締め操作を行うと、レジスタ１２はレシート用紙に明細を印字して精算を終了する。
【００３４】
上記パターン１〜パターン３の何れの精算システムとも商品情報を記憶したＩＣスティック２０を、会計処理装置のＩＣタグリーダ（読取部）１１に収納部３０の箱体３１に収納保持することで、各ＩＣスティック２０は同じ向きに整列保持され、各ＩＣスティック２０同士が重なり合って、情報の読み取りが不可能になる、読み忘れのＩＣスティック２０が発生する等の問題は解消され、正確且つ迅速に精算作業を行うことができる。
【００３５】
本発明は図示した実施の形態に限定されず、本発明の要旨を変更しない範囲で適宜変更可能である。
（１）実施の形態ではＩＣスティックを同じ向きに整列保持する収納部としてペン立て様の筒体を示したが、前記ＩＣスティックの同じ向きの方向は鉛直方向（上下方向）に限らず、トレイ載置部の面と平行な水平方向であってもよい。但し、その場合は、ＩＣスティックが重なり合わず、同じ方向に平行に向くよう、収納部はペン皿の形態でＩＣスティックを1本ずつ並列保持する構成とする。
（２）実施の形態では、ＩＣスティックに埋設されるＲＦＩＤタグ本体をディスク形状としたが、該ＲＦＩＤタグ本体は線材状（例えば、μチップインレット）であってもよく、その場合、線材状のＲＦＩＤタグ本体は軸芯をスティックの軸芯と平行にして埋設する。
（３）実施の形態では、ＩＣスティックに埋設するＲＦＩＤタグ本体を、アンテナ面がスティックの軸芯と直交するように埋設し、他方、ＩＣタグリーダ（読取部）をトレーサ一部に埋設して、ＩＣタグリーダのアンテナとＩＣスティックのＲＦＩＤタグ本体のアンテナを平行にしたが、ＩＣスティックのＲＦＩＤタグ本体のアンテナ面をスティックの軸芯と略平行に埋設した場合は、ＩＣタグリーダ（読取部）のアンテナは収納部に収容した前記ＩＣスティックのＲＦＩＤタグ本体のアンテナと略平行となる鉛直状に配置する。
【図面の簡単な説明】
【００３６】
【図１】本発明に係る代金精算システムの導入形態の一例を示し、（ａ）は同システムを導入するベーカリー店の店舗内配置構成を示す概略平面図、（ｂ）はパンの陳列状態を示す外観図。
【図２】会計処理装置の構成を示す外観斜視図。
【図３】ＩＣスティックの一例を示し、（ａ）はＲＦＩＤタグ本体をスティックの長さ方向の略中央位置に埋設した形態、（ｂ）はＲＦＩＤタグ本体をスティックの長さ方向の一方端部寄りに埋設した形態を示す。された
【図４】ＩＣスティックを同じ向きに整列保持する収納部の一例を示し、（ａ）は格子状の仕切りを箱体の上下部を除いて中間部に収容した断面図、（ｂ）は同平面図、（ｃ）は箱体の上方内部にスティック通し孔を格子状に開設した仕切りを取り付けた断面図、（ｄ）は同平面図。
【図５】収納部をトレイ載置部の所定位置に載置する保持手段の一例を示し、（ａ）は土手で載置部を区画形成した例、（ｂ）は色分け等で載置部を区分けした例、（ｃ）は載置部を凹設した例。
【図６】収納部及び読取部のアンテナの他の例を示す斜視図。
【図７】（ａ）は精算システムのパターン１を示す説明図、（ｂ）はパターン２を示す説明図、（ｃ）はパターン３を示す説明図。
【符号の説明】
【００３７】
１０…会計処理装置              １１…ＩＣタグリーダ（読取部）
１２…レジスタ                  １３…トレイ載置部
１４…トレイ                    １５…ＩＣタグリーダのアンテナ
１８…保持手段                  ２０…ＩＣスティック
２１…スティック本体            ２２…ＲＦＩＤタグ本体
３０…収納部                    ３１…箱体
３２…仕切り
【図１】
2010108045.tif 000003
【図２】
2010108045.tif 000004
【図３】
2010108045.tif 000005
【図４】
2010108045.tif 000006
【図５】
2010108045.tif 000007
【図６】
2010108045.tif 000008
【図７】
2010108045.tif 000009